(57)【要約】【課題】フィルタ部品の取り外し及び取り付けが容易で、しかも、フィルタ部品を取り外した状態においても、コネクタピンが電気的に分断されずに接続した状態を維持するフィルタ内蔵型コネクタを提供する。【解決手段】コネクタ１は樹脂ケース２とコネクタピン３−１，３−２とフィルタ実装基板４とを備える。コネクタピン３−１（３−２）は第１及び第２のピン部３１，３２に分断され、第１のバネ部３３，第２のバネ部３４が、第１のピン部３１の分断部分，第２のピン部３２の分断部分にそれぞれ形成されている。フィルタ実装基板４は、絶縁性基板５にフィルタ部品６を実装したものであり、コネクタピン３−１，３−２の第１及び第２のバネ部３３，３４と樹脂ケース２の収納部２０の底部２２との間に着脱自在に圧入されている。収納部２０の底部２２には導電性ライン７１，７２が設けられている。【選択図】図１
2012190584.tif 000002
【特許請求の範囲】
【請求項１】
穴状の収納部を有した樹脂ケースと、この樹脂ケースに保持されたｎ（ｎは自然数）本のコネクタピンと、上記収納部に収納され且つｎ本のコネクタピンに電気的に接続された１つのフィルタ実装基板とを備えるフィルタ内蔵型コネクタであって、
各コネクタピンが、上記収納部内で第１のピン部と第２のピン部とに分断され、収納部の底部に圧接可能な導電性の第１のバネ部，第２のバネ部が、これら第１のピン部の分断部分，第２のピン部の分断部分にそれぞれ設けられており、
上記フィルタ実装基板が、表面にｎ数の第１のランドとｎ数の第２のランドとを有する絶縁性基板と、ｎ数の第１の端子が上記ｎ数の第１のランドにそれぞれ接続されると共にｎ数の第２の端子が上記ｎ数の第２のランドにそれぞれ接続されたフィルタ部品とで形成され、このフィルタ実装基板が、上記フィルタ部品を収納部の開口側に向けた状態で、収納部の底部と上記ｎ本のコネクタピンの第１及び第２のバネ部との間に着脱自在に圧入されて、各第１のバネ部，各第２のバネ部が、上記絶縁性基板の各第１のランド，各第２のランドにそれぞれ圧接されており、
各導電性ラインが、各コネクタピンの第１のバネ部の位置から第２のバネ部の位置に至るように、ｎ本の導電性ラインが、収納部の底部上に設けられている、
ことを特徴とするフィルタ内蔵型コネクタ。
【請求項２】
請求項１に記載のフィルタ内蔵型コネクタにおいて、
上記収納部の底部を、収納部内に設けたバネ部材により開口側に付勢された絶縁性の板体で形成し、上記ｎ本の導電性ラインをこの板体上に設けた、
ことを特徴とするフィルタ内蔵型コネクタ。
【請求項３】
請求項１又は請求項２に記載のフィルタ内蔵型コネクタにおいて、
上記フィルタ実装基板のフィルタ部品は、コモンモードチョークコイル及びフェライトビーズのいずれか又は双方である、
ことを特徴とするフィルタ内蔵型コネクタ。
【発明の詳細な説明】
【技術分野】
【０００１】
この発明は、ノイズを除去するためのフィルタ部品を内蔵したフィルタ内蔵型コネクタに関するものである。
【背景技術】
【０００２】
図１６に示すように、従来のフィルタ内蔵型コネクタ１００は、樹脂ケース１２０内で分断された１本以上のコネクタピン１１０を、樹脂ケース１２０内に有し、コモンモードチョークコイル等のフィルタ部品２００を、その分断コネクタピン１１１，１１２間に導電性樹脂等の接着部材１３０で電気的に接続した構造になっている（例えば、特許文献１参照）。
これにより、コネクタピン１１０を流れるノイズ電流を、分断コネクタピン１１１，１１２間のフィルタ部品２００によって除去するようにしている。
【先行技術文献】
【特許文献】
【０００３】
【特許文献１】特開２００６−２３７１３５号公報
【発明の概要】
【発明が解決しようとする課題】
【０００４】
しかし、上記した従来のフィルタ内蔵型コネクタでは、次のような問題がある。
通常、フィルタ内蔵型コネクタ１００は、民生デジタル機器やポータブルデジタル機器に用いられるが、これらの製品の開発や試作段階において、フィルタ内蔵型コネクタ１００に内蔵されているフィルタ部品２００が適正であるかを、ノイズ評価により確認する必要がある。
このノイズ評価試験をする際には、フィルタ部品２００をコネクタピン１１０から取り外したり、他のフィルタ部品を取り付けたりする作業が行われる。
しかしながら、上記した従来のフィルタ内蔵型コネクタ１００では、フィルタ部品２００が接着部材１３０で固定されているので、その取り外しや取り付けが困難である。
すなわち、接着部材１３０が半田である場合には、半田こてやスポットヒーター等により、半田に熱を加えて、フィルタ部品２００を取り外すことになる。この際、高温の半田こてが、熱に弱い樹脂ケース１２０に接触して、樹脂ケース１２０が変形するおそれがある。
また、接着部材１３０が、導電性樹脂である場合には、熱を加えて溶融させることはできないので、導電性樹脂で一度取り付けたフィルタ部品２００を、最早取り外すことができず、ノイズ評価試験を行うことはできない。
さらに、ノイズ評価試験では、フィルタ部品２００を外して評価する必要もある。このような場合には、フィルタ部品２００をコネクタピン１１０から取り外す作業の他に、図示しない導電性部材によって、分断コネクタピン１１１，１１２間をショートさせる作業が必要となる等、煩雑な作業が強いられる。
【０００５】
この発明は、上述した課題を解決するためになされたもので、フィルタ部品の取り外し及び取り付けが容易で、しかも、フィルタ部品を取り外した状態においても、コネクタピンが電気的に分断されずに接続した状態を維持するフィルタ内蔵型コネクタを提供することを目的とする。
【課題を解決するための手段】
【０００６】
上記課題を解決するために、請求項１の発明は、穴状の収納部を有した樹脂ケースと、この樹脂ケースに保持されたｎ（ｎは自然数）本のコネクタピンと、収納部に収納され且つｎ本のコネクタピンに電気的に接続された１つのフィルタ実装基板とを備えるフィルタ内蔵型コネクタであって、各コネクタピンが、収納部内で第１のピン部と第２のピン部とに分断され、収納部の底部に圧接可能な導電性の第１のバネ部，第２のバネ部が、これら第１のピン部の分断部分，第２のピン部の分断部分にそれぞれ設けられており、フィルタ実装基板が、表面にｎ数の第１のランドとｎ数の第２のランドとを有する絶縁性基板と、ｎ数の第１の端子がｎ数の第１のランドにそれぞれ接続されると共にｎ数の第２の端子がｎ数の第２のランドにそれぞれ接続されたフィルタ部品とで形成され、このフィルタ実装基板が、フィルタ部品を収納部の開口側に向けた状態で、収納部の底部とｎ本のコネクタピンの第１及び第２のバネ部との間に着脱自在に圧入されて、各第１のバネ部，各第２のバネ部が、絶縁性基板の各第１のランド，各第２のランドにそれぞれ圧接されており、各導電性ラインが、各コネクタピンの第１のバネ部の位置から第２のバネ部の位置に至るように、ｎ本の導電性ラインが、収納部の底部上に設けられている構成とした。
かかる構成により、ノイズ電流が、コネクタピンに侵入すると、フィルタ実装基板がコネクタピンに電気的に接続されているので、このノイズ電流は、フィルタ実装基板に実装されているフィルタ部品によって除去される。
ところで、フィルタ内蔵型コネクタが、所望のノイズ除去効果を奏するか否かを評価する試験においては、各種のフィルタ部品を実装し、各フィルタ部品毎のノイズに対するインピーダンス等を測定して、最適なフィルタ部品を選択する必要がある。つまり、ノイズ評価試験では、複数のフィルタ部品の取り付け及び取り付け作業が行われることとなる。
取り外し作業を行う場合には、既実装のフィルタ実装基板を樹脂ケースの収納部内から取り出す。このとき、各コネクタピンの各第１のバネ部，各第２のバネ部は、フィルタ実装基板の絶縁性基板の各第１のランド，各第２のランドにそれぞれ圧接された状態にある。つまり、フィルタ実装基板は、収納部の底部とｎ本のコネクタピンの第１及び第２のバネ部との間に着脱自在に圧入されているだけで、コネクタピンに半田付けや導電性樹脂で固着されていないので、フィルタ実装基板を収納部内から容易に取り外すことができる。
そして、新たなフィルタ実装基板を、樹脂ケースの収納部内に取り付ける場合には、コネクタピンの第１のバネ部と第２のバネ部を収納部の開口側に撓ませ、これらのバネ部と底部との間に、フィルタ実装基板の絶縁性基板の厚さとほぼ同じ間隙を作る。かかる状態で、絶縁性基板を間隙内に圧入し、第１のバネ部と第２のバネ部を解放する。これにより、コネクタピンの第１のバネ部，第２のバネ部が、絶縁性基板の第１のランド，第２のランドにそれぞれ圧接された状態になり、コネクタピンとフィルタ部品とが、電気的に接続された状態になる。つまり、フィルタ実装基板が、コネクタピンに半田付けや導電性樹脂で固着されていないので、適正なフィルタ実装基板を樹脂ケースに容易に取り付けることができる。
また、ノイズ評価試験では、フィルタ部品がない状態でのインピーダンス等を測定する必要もある。
このような場合には、上記したように、樹脂ケースの収納部内のフィルタ実装基板を取り外す。
フィルタ実装基板を取り外すと、各コネクタピンの第１及び第２のバネ部が収納部の底部に圧接する。このとき、各導電性ラインが、各コネクタピンの第１のバネ部の位置から第２のバネ部の位置に至るように、収納部の底部上に設けられているので、第１のバネ部が導電性ラインの一方端部に圧接すると共に、第２のバネ部が他方端部に圧接した状態になる。この結果、各コネクタピンの第１のピン部と第２のピン部とが、各導電性ラインを介して導通した状態になる。つまり、フィルタ実装基板を取り外すだけで、各コネクタピンが自動的にショート状態になる。この結果、上記した従来の技術の場合に必要であった導電性部材による第１のピン部と第２のピン部間のショート作業が必要なくなる。
また、フィルタ実装基板が、フィルタ部品を絶縁性基板のランド上に接続した構造であるので、ランドのパターンを変えることで、いろいろな種類及びいろいろなサイズのフィルタ部品を絶縁性基板に実装した多種類のフィルタ実装基板を用意することができる。
【０００７】
請求項２の発明は、請求項１に記載のフィルタ内蔵型コネクタにおいて、収納部の底部を、収納部内に設けたバネ部材により開口側に付勢された絶縁性の板体で形成し、ｎ本の導電性ラインをこの板体上に設けた構成とする。
かかる構成により、フィルタ実装基板を取り外した状態では、各コネクタピンの第１及び第２のバネ部が、収納部内の開口側に付勢された板体に圧接し、導電性ラインの両端部に電気的に接続した状態になっている。
フィルタ実装基板を実装する場合には、フィルタ実装基板を収納部内に挿入し、絶縁性基板を板体に載せ、バネ部材の付勢力に抗して押すことで、板体と第１及び第２のバネ部との間に絶縁性基板の厚さ以上の間隙を得ることができる。
かかる状態で、絶縁性基板をこの間隙に滑り込ませた後、手を離すと、第１のバネ部，第２のバネ部が、絶縁性基板の第１のランド，第２のランドにそれぞれ圧接された状態になり、コネクタピンとフィルタ部品とが電気的に接続された状態になる。
【０００８】
請求項３の発明は、請求項１又は請求項２に記載のフィルタ内蔵型コネクタにおいて、フィルタ実装基板のフィルタ部品は、コモンモードチョークコイル及びフェライトビーズのいずれか又は双方である構成とした。
【発明の効果】
【０００９】
以上詳しく説明したように、この発明のフィルタ内蔵型コネクタによれば、フィルタ部品が実装されたフィルタ実装基板が、コネクタピンに半田付けや導電性樹脂で固着されていないので、フィルタ実装基板を収納部内から取り外す作業や取り付ける作業を容易に行うことができるという優れた効果がある。また、フィルタ実装基板を取り外すだけで、コネクタピンが電気的に分断されず、ショート状態を維持するので、コネクタピンのショート作業が不必要となるという効果もある。さらに、ランドのパターンを変えることで、いろいろな種類及びいろいろなサイズのフィルタ部品を絶縁性基板に実装した多種類のフィルタ実装基板を用意することができ、この結果、多種類及び多サイズのフィルタ部品についてノイズ評価を迅速に行うことができるという効果もある。
【００１０】
特に、請求項２の発明によれば、フィルタ実装基板を樹脂ケースの収納部に容易且つ迅速に実装することができるという効果がある。
【図面の簡単な説明】
【００１１】
【図１】この発明の第１実施例に係るフィルタ内蔵型コネクタを一部破断して示す斜視図である。
【図２】フィルタ内蔵型コネクタの断面図である。
【図３】フィルタ内蔵型コネクタを示す平面図である。
【図４】フィルタ実装基板の側面図である。
【図５】フィルタ実装基板の平面図である。
【図６】導電性ラインを説明するための断面図である。
【図７】導電性ラインを示す平面図である。
【図８】フィルタ実装基板の取り外し作業を示す断面図である。
【図９】フィルタ実装基板の取り付け作業を示す断面図である。
【図１０】この発明の第２実施例に係るフィルタ内蔵型コネクタの要部を示す断面図である。
【図１１】フィルタ実装基板の取り付ける作業を説明するための断面図である。
【図１２】実施例におけるフィルタ部品とランドパターンとの関係を示す平面図である。
【図１３】フィルタ部品としてフェライトビーズを用いた例を示す平面図である。
【図１４】小さなフィルタ部品を実装した例を示す平面図である。
【図１５】多端子の複合型フィルタ部品を実装した例を示す平面図である。
【図１６】従来のフィルタ内蔵型コネクタを示す断面図である。
【発明を実施するための形態】
【００１２】
以下、この発明の最良の形態について図面を参照して説明する。
【００１３】
（実施例１）
図１は、この発明の第１実施例に係るフィルタ内蔵型コネクタを一部破断して示す斜視図であり、図２は、フィルタ内蔵型コネクタの断面図であり、図３は、フィルタ内蔵型コネクタを示す平面図である。
【００１４】
図１に示すように、この実施例のコネクタ１は、フィルタ内蔵型コネクタであり、穴状の収納部２０を有した樹脂ケース２と、樹脂ケース２に保持された２本のコネクタピン３−１，３−２と、収納部２０内に収納された１枚のフィルタ実装基板４とを備えている。
【００１５】
樹脂ケース２は、ポリアミド樹脂等の絶縁性樹脂で形成され、その断面は略Ｌ字状をなす。
具体的には、樹脂ケース２は、本体部２Ａと、本体部２Ａの上部から突出した上壁部２Ｂとで形成され、上方に開口する直方体状の収納部２０が、本体部２Ａの上面２ａに凹設されている。
【００１６】
各コネクタピン３−１（３−２）は、収納部２０内で第１のピン部３１と第２のピン部３２とに分断されている。
具体的には、第１のピン部３１は、分断部分（右側端部）を収納部２０内に残した状態で、本体部２Ａの左側面２ｂから上壁部２Ｂに沿って水平に突出している。一方、第２のピン部３２は、分断部分（上側端部）を収納部２０内に残した状態で、本体部２Ａの下面２ｃから垂直に突出している。
第１及び第２のピン部３１，３２は、バネ性を有した金属等の導電性部材で形成されている。そして、収納部２０内に突出した第１のピン部３１の分断部分が、第１のバネ部３３を形成し、第１のバネ部３３に対向するように収納部２０内に突出した第２のピン部３２の分断部分が、第２のバネ部３４を形成する。これらの第１及び第２のバネ部３３，３４は、収納部２０の開口２１側に撓ませると、収納部２０の底部２２側に復旧しようとする付勢力を発生させる。
このような第１及び第２のバネ部３３，３４の先端には、接触部３３ａ，３４ａがそれぞれ突設されている。これら接触部３３ａ，３４ａは、フィルタ実装基板４に圧接し、また、フィルタ実装基板４が収納部２０内にない場合には、収納部２０の底部２２に圧接する。
【００１７】
フィルタ実装基板４は、上記したコネクタピン３−１，３−２に電気的に接続されている。
図４は、フィルタ実装基板４の側面図であり、図５は、フィルタ実装基板４の平面図である。
図４及び図５に示すように、フィルタ実装基板４は、絶縁性基板５にフィルタ部品６を実装した基板である。
絶縁性基板５は、矩形状の絶縁性部材で形成されており、その表面には、２本のランドパターン５１，５２がパターン形成されている。
各ランドパターン５１（５２）は、絶縁性基板５の中央部側から左側縁部に延びる第１のランド５１Ａ（５２Ａ）と、右側縁部に延びる第２のランド５１Ｂ（５２Ｂ）とで形成されている。
一方、フィルタ部品６は、コモンモードチョークコイルであり、上記ランドパターン５１，５２上に実装されている。
具体的には、第１の端子６１Ａ，６２Ａが、第１のランド５１Ａ，５２Ａに半田によってそれぞれ接続され、第２の端子６１Ｂ，６２Ｂが、第２のランド５１Ｂ，５２Ｂに半田によってそれぞれ接続されている。
【００１８】
上記の如きフィルタ実装基板４は、図２及び図３に示すように、フィルタ部品６を収納部２０の開口２１側に向けた状態で、収納部２０の底部２２上に載置されている。
そして、各第１のバネ部３３が、絶縁性基板５の第１のランド５１Ａ（５２Ａ）に圧接され、各第２のバネ部３４が、各第２のランド５１Ｂ（５２Ｂ）に圧接されている。
つまり、フィルタ実装基板４は、２本のコネクタピン３−１，３−２の第１及び第２のバネ部３３，３４と収納部２０の底部２２との間に着脱自在に圧入されている。
【００１９】
このように、フィルタ実装基板４が、載置された底部２２には、２本の導電性ラインが設けられている。
図６は、導電性ライン７１，７２を説明するための断面図であり、図７は、導電性ライン７１，７２を示す平面図である。
図６及び図７に示すように、各導電性ライン７１（７２）は、底部２２上に設けられており、各導電性ライン７１（７２）は、各コネクタピン３−１（３−２）の第１のバネ部３３の位置から第２のバネ部３４の位置に至る。
これにより、フィルタ実装基板４が収納部２０内にない状態では、各コネクタピン３−１（３−２）の第１のバネ部３３，第２のバネ部３４が、各導電性ライン７１（７２）の両端部にそれぞれ圧接し、第１のピン部３１と第２のピン部３２とが各導電性ライン７１（７２）を通じて電気的に接続された状態になる。
【００２０】
次に、この実施例のフィルタ内蔵型コネクタが示す作用及び効果について説明する。
図２に示すコネクタ１において、コモンモードのノイズ電流が、コネクタピン３−１，３−２の第１のピン部３１，３１に侵入すると、第１のバネ部３３，３３からフィルタ実装基板４の絶縁性基板５の第１のランド５１Ａ，５２Ａを通じてフィルタ部品６に入り込む。このとき、フィルタ部品６がコモンモードチョークコイルであるので、進入したコモンモードのノイズ電流に対してインピーダンスが高くなり、ノイズ電流がフィルタ部品６によって阻止される。
【００２１】
ところで、コネクタ１に対するノイズ評価試験において、フィルタ部品６の取り外し及び取り付け作業を行う場合には、フィルタ実装基板４を樹脂ケース２から取り外し及び取り付けることで実現することができる。
図８は。フィルタ実装基板４の取り外し作業を示す断面図であり、図９は。フィルタ実装基板４の取り付け作業を示す断面図である。
【００２２】
フィルタ実装基板４を樹脂ケース２から取り外す場合には、図８に示すように、フィルタ実装基板４を、コネクタピン３−１，３−２の第１及び第２のバネ部３３，３４の付勢力に抗して、開口２１側に引っ張る。これにより、フィルタ実装基板４を収納部２０内から容易に取り出すことができる。
【００２３】
そして、新たなフィルタ実装基板４を収納部２０内に取り付ける場合には、図９に示すように、例えば、図示しないフック等を用いて、各コネクタピン３−１（３−２）の第１のバネ部３３を、付勢力に抗して、開口２１側に撓ませる。これにより、フィルタ実装基板４の絶縁性基板５を挿入できる間隙Ｇを、第１のバネ部３３と底部２２との間に作る。そして、絶縁性基板５の左側部を間隙Ｇ内に圧入した後、同様にして、絶縁性基板５の右側部を、第２のバネ部３４と底部２２との間の間隙に圧入する。
これにより、図２に示したように、各コネクタピン３−１（３−２）の第１のバネ部３３，第２のバネ部３４が、絶縁性基板５の第１のランド５１Ａ（５２Ａ），第２のランド５１Ｂ（５２Ｂ）にそれぞれ圧接された状態になり、コネクタピン３−１，３−２とフィルタ部品６とが電気的に接続された状態になる。
【００２４】
また、フィルタ部品６がない状態で、ノイズ評価試験を行う場合には、図８に示したように、フィルタ実装基板４を収納部２０から取り外す。
フィルタ実装基板４を取り外すと、各コネクタピン３−１（３−２）の第１及び第２のバネ部３３，３４が収納部２０の底部２２に圧接する。このとき、図６に示したように、各導電性ライン７１（７２）が第１のバネ部３３の位置から第２のバネ部３４の位置に至るように、底部２２上に設けられているので、第１のバネ部３３が各導電性ライン７１（７２）の左方端部に圧接すると共に、第２のバネ部３４が右方端部に圧接した状態になる。この結果、各コネクタピン３−１（３−２）の第１のピン部３１と第２のピン部３２とが、各導電性ライン７１（７２）を介して導通した状態になる。
【００２５】
（実施例２）
次に、この発明の第２実施例について説明する。
図１０は、この発明の第２実施例に係るフィルタ内蔵型コネクタの要部を示す断面図である。
上記第１実施例では、フィルタ実装基板４を収納部２０内に収納する場合に、フック等を用いて、各コネクタピン３−１（３−２）の第１のバネ部３３を、開口２１側に撓ませる作業が必要であり、取り付け作業が繁雑である。
そこで、この実施例では、収納部２０の底部２２の構造を変えて、フィルタ実装基板４の取り付け作業を容易に行うことができるようにした。
すなわち、図１０に示すように、底部２２を、バネ部材２３と絶縁性の板体２４とで構成した。
具体的には、凹部２５を収納部２０の下部に形成し、バネ部材２３を凹部２５内に収納した。そして、導電性ライン７１，７２が表面に形成された板体２４を、バネ部材２３の上に取り付けた。これにより、板体２４がバネ部材２３によって開口２１側に付勢され、板体２４表面の各導電性ライン７１（７２）の両端部が、各コネクタピン３−１（３−２）の第１のバネ部３３，第２のバネ部３４に圧接された状態になる。
【００２６】
次に、この実施例のフィルタ内蔵型コネクタにフィルタ実装基板４の取り付ける作業について説明する。
図１１は、フィルタ実装基板４の取り付ける作業を説明するための断面図である。
フィルタ実装基板４を収納部２０内に取り付ける場合には、まず、図１１の(ａ)に示すように、フィルタ実装基板４を収納部２０内に挿入し、絶縁性基板５により、バネ部材２３の付勢力に抗して、板体２４を押し下げる。すると、板体２４と第１及び第２のバネ部３３，３４との間に絶縁性基板５の厚さ以上の間隙Ｇが生じる。
かかる状態で、絶縁性基板５を、矢印で示すように、左右の間隙Ｇ，Ｇに滑り込ませる。そして、フィルタ実装基板４から手を離して、バネ部材の付勢力を解放すると、図１１の（ｂ）に示すように、フィルタ実装基板４が持ち上がって、第１のバネ部３３，第２のバネ部３４が、絶縁性基板５の第１のランド５１Ａ（５２Ａ），第２のランド５１Ｂ（５２Ｂ）にそれぞれ圧接された状態になる。この結果、フィルタ実装基板４が収納部２０内に取り付けられた状態になる。
このようにして、フック等の器具を使用せずに、フィルタ実装基板４を樹脂ケース２の収納部２０に容易且つ迅速に実装することができる。
その他の構成、作用及び効果は、上記第１実施例と同様であるので、その記載は省略する。
【００２７】
なお、この発明は、上記実施例に限定されるものではなく、発明の要旨の範囲内において種々の変形や変更が可能である。
上記実施例では、図１２に示すように、フィルタ部品６である４端子のコモンモードチョークコイルを、絶縁性基板５上に実装した例を示したが、図１３に示すように、フィルタ部品である２端子のフェライトビーズ８１，８２を、絶縁性基板５のランドパターン５１，５２にそれぞれ取り付けることもできる。
また、上記実施例では、図１２に示すように、ランドパターン５１，５２の間隔よりも大きなフィルタ部品６を、絶縁性基板５上に実装した例を示したが、ランドパターン５１，５２の間隔よりも小さなフィルタ部品６を絶縁性基板５上に実装する場合には、図１４に示すように、ランドパターン５１，５２の形状を変えることで、小さなフィルタ部品６もランドパターン５１，５２に実装することができる。
さらに、図１５に示すように、多端子６１Ａ〜６４Ａ（６１Ｂ〜６４Ｂ）の複合型フィルタ部品６を実装する場合には、ランドパターン５１〜５４の本数を端子数に対応させることで可能となる。
すなわち、この発明では、フィルタ実装基板４が、フィルタ部品６を絶縁性基板５のランド上に接続した構造であるので、ランドのパターンを変えることで、いろいろな種類及びいろいろなサイズのフィルタ部品６を絶縁性基板５に実装した多種類のフィルタ実装基板４を用意することができる。
【００２８】
また、上記実施例では、第１のピン部３１及び第２のピン部３２自体がバネ性を有していたため、その一部を用いて、第１のバネ部３３及び第２のバネ部３４を形成したが、第１のピン部３１及び第２のピン部３２自体がバネ性を有していない場合には、第１のピン部３１及び第２のピン部３２とは別体の金属片であって且つバネ性を有する金属片を、第１のピン部３１及び第２のピン部３２の分断部分に取り付けて、これらの金属片を第１のバネ部３３及び第２のバネ部３４とすることができる。
【符号の説明】
【００２９】
１…コネクタ、  ２…樹脂ケース、  ２Ａ…本体部、  ２Ｂ…上壁部、  ２ａ…上面、  ２ｂ…左側面、  ２ｃ…下面、  ３−１，３−２…コネクタピン、  ４…フィルタ実装基板、  ５…絶縁性基板、  ６…フィルタ部品、  ２０…収納部、  ２１…開口、  ２２…底部、  ２３…バネ部材、  ２４…板体、  ２５…凹部、  ３１…第１のピン部、  ３２…第２のピン部、  ３３…第１のバネ部、  ３４…第２のバネ部、  ５１，５２…ランドパターン、  ５１Ａ，５２Ａ…第１のランド、  ５１Ｂ，５２Ｂ…第２のランド、  ６１Ａ，６２Ａ…第１の端子、  ６１Ｂ，６２Ｂ…第２の端子、  ７１，７２…導電性ライン、  ８１，８２…フェライトビーズ。  
【図１】
2012190584.tif 000003
【図２】
2012190584.tif 000004
【図３】
2012190584.tif 000005
【図４】
2012190584.tif 000006
【図５】
2012190584.tif 000007
【図６】
2012190584.tif 000008
【図７】
2012190584.tif 000009
【図８】
2012190584.tif 000010
【図９】
2012190584.tif 000011
【図１０】
2012190584.tif 000012
【図１１】
2012190584.tif 000013
【図１２】
2012190584.tif 000014
【図１３】
2012190584.tif 000015
【図１４】
2012190584.tif 000016
【図１５】
2012190584.tif 000017
【図１６】
2012190584.tif 000018